(57)【特許請求の範囲】
【請求項１】
監視範囲内にいる被写体の画像を記録する監視記録装置の記録方法であって、
前記画像を一時記録し、前記監視範囲内に被写体がいる場合に前記監視範囲内にいる被写体の数を計測し、計測した数が所定値を越えていれば記録のフレームレートを高く設定し、計測した数が所定値を越えていなければ記録のフレームレートを低く設定し、前記一時記録した被写体の画像を、設定したフレームレートに変換して記録することを特徴とする監視画像記録装置の記録方法。
【請求項２】
監視範囲内にいる被写体の画像を記録する監視記録装置であって、
前記画像を一時記録する第１のメモリと、前記監視範囲内の被写体の有無を検出した場合に被写体検出信号が入力される被写体検出信号入力手段と、該被写体検出信号入力手段に被写体検出信号が入力された場合に、前記被写体の数を計測する被写体計測手段と、該被写体計測手段で計測した前記被写体の数が所定値を越えていれば記録のフレームレートを高く設定し、計測した前記被写体の数が所定値を越えていなければ記録のフレームレートを低く設定する記録レート制御手段と、前記一時記録した被写体の画像が設定したフレームレートに変換されて記録される第２のメモリと、を備えることを特徴とする監視画像記録装置。
【発明の詳細な説明】
【技術分野】
【０００１】
本発明は、カメラから入力される画像を記録する監視記録装置に適用される記録方法に関する。
【背景技術】
【０００２】
従来の監視記録装置は、被写体例えば侵入者等の検出を行い、侵入者等が検出されている間の画像のみ記録を行うようにしていた（例えば、特許文献１参照）。
【０００３】
【特許文献１】特開２０００−２５３３９０号公報
【発明の開示】
【発明が解決しようとする課題】
【０００４】
しかし、監視範囲内にいる被写体の数に応じた柔軟な記録が行えなかった。
【０００５】
本発明の目的は、監視範囲内にいる被写体の数に応じた柔軟な記録が行うことができる記録方法を提供することにある。
【課題を解決するための手段】
【０００６】
本発明は、監視範囲内にいる被写体の数を計測し、計測した数が所定値を越えていれば記録のフレームレートを高く設定し、計測した数が所定値を越えていなければ記録のフレームレートを低く設定し、被写体の画像を、設定したフレームレートに変換して記録することを特徴とする。
【０００７】
また、本発明は、監視範囲内にいる被写体の数を計測し、計測した数に応じてフレームレートを設定し、被写体の画像を、設定したフレームレートに変換して記録することを特徴とする。
【発明の効果】
【０００８】
本発明によれば、監視範囲内にいる被写体の数に応じた柔軟な記録が行うことができる。
【発明を実施するための最良の形態】
【０００９】
以下、本発明に係る記録方法を有する監視記録装置の実施の形態を説明する。
【００１０】
図１は、本発明に係る記録方法を有する監視記録装置の実施の形態の構成図である。
【００１１】
図１において、１００は監視記録装置であり、監視範囲１０１にいる被写体１０２の画像を記録する。
【００１２】
図２は、図１における監視記録装置１００の構成図である。
【００１３】
図２において、２００はＣＰＵ（中央処理装置）、２０１はＣＰＵ（中央処理装置）２００に接続のバスである。
【００１４】
２０２は撮像素子であり、Ａ／Ｄ変換部２０３を介してバス２０１に接続される。２０４は一時記録メモリ（リングバッファ）であり、バス２０１に接続される。２０５は入出力装置であり、図１の監視範囲１０１の入口や出口に設けたセンサ１０３からの被写体１０１の通過を知らせるセンサ信号やマウス、キーボード等の指示を入力するためのインタフェースであって、バス２０１に接続される。
【００１５】
２０６はネットワーク制御部であり、バス２０１と、図示していないＬＡＮなどのネットワークに接続され、ネットワーク上の機器とのデータの送受信を可能とする。
【００１６】
２０７は圧縮／伸張部であり、バス２０１に接続される。２０８はデータ管理部であり、バス２０１に接続され、記録された画像データに関する各種データの管理を行う。２０９はメモリであり、バス２０１に接続され、監視記録装置１００のプログラムが実行可能な状態で格納され、逐次読み出されて実行される。また被写体の所定値が予め記憶されている。
【００１７】
２１０は画像処理部であり、バス２０１に接続され、一時記録メモリ（リングバッファ）２０４に一時記録されている画像を適時画像処理する。２１１は記録装置であり、バス２０１に接続され、画像処理部２１０で画像処理した画像を記録する。
【００１８】
図３は、本発明に係る記録方法の例の動作フローチャートを示す図である。
【００１９】
図１の監視範囲１０１の画像を、図２のＣＰＵ（中央処理装置）が、撮像素子２０２で撮像し、Ａ／Ｄ変換部２０３でＡ／Ｄ（アナログ／デジタル）変換し、一時記録メモリ（リングバッファ）２０４へ記録する（３００）。
【００２０】
次に、図１の監視範囲１０１に被写体１０２がいるかを、図２のＣＰＵ（中央処理装置）２００が、図１の監視範囲１０１の入口や出口に設けたセンサ１０３からの被写体１０２の通過を知らせるセンサ信号の有無をみて、判断する（３０１）。
【００２１】
監視範囲１０１に被写体１０２がいる場合は、図２のＣＰＵ（中央処理装置）２００は、撮像素子２０２で撮像しＡ／Ｄ変換部２０３でＡ／Ｄ（アナログ／デジタル）変換した被写体の数を画像認識機能により計測する（３０２）。
【００２２】
次に、図２のＣＰＵ（中央処理装置）２００は、計測した被写体の画像の数が、図２のメモリ２０９に予め記憶されている被写体の所定値を越えているかを判断する（３０３）。
【００２３】
計測した被写体の数が被写体の所定値を越えている場合は、図２のＣＰＵ（中央処理装置）は、画像処理部２１０で処理する記録のフレームレートを高く設定する（３０４）。
【００２４】
計測した被写体の数が被写体の所定値を越えていない場合は、図２のＣＰＵ（中央処理装置）は、画像処理部２１０で処理する記録のフレームレートを低く設定する（３０５）。
【００２５】
次に、図２のＣＰＵ（中央処理装置）は、一時記録メモリ（リングバッファ）２０４から記録した画像を読み出し、設定したフレームレートに変換し、変換した画像を記録装置２１１へ記録する（３０６）。
【００２６】
図４は、本発明に係る記録方法の他の例の動作フローチャートを示す図である。
【００２７】
図１の監視範囲１０１の画像を、図２のＣＰＵ（中央処理装置）が、撮像素子２０２で撮像し、Ａ／Ｄ変換部２０３でＡ／Ｄ（アナログ／デジタル）変換し、一時記録メモリ（リングバッファ）２０４へ記録する（４００）。
【００２８】
次に、図１の監視範囲１０１に被写体１０２がいるかを、図２のＣＰＵ（中央処理装置）２００が、図１の監視範囲１０１の入口や出口に設けたセンサ１０３からの被写体１０２の通過を知らせるセンサ信号の有無をみて、判断する（４０１）。
【００２９】
監視範囲１０１に被写体１０２がいる場合は、図２のＣＰＵ（中央処理装置）２００は、撮像素子２０２で撮像しＡ／Ｄ変換部２０３でＡ／Ｄ（アナログ／デジタル）変換した被写体の数を計測する（４０２）。
【００３０】
次に、図２のＣＰＵ（中央処理装置）は、被写体の数の計測（４０２）で計測した被写体の数に応じて、画像処理部２１０で処理する記録のフレームレートを設定する（４０３）。例えば被写体の数が１の場合は記録のフレームレートを１ｆｐｓ（frame per second）、被写体の数が５の場合は記録のフレームレートを５ｆ、被写体の数が１０の場合は記録のフレームレートを１０ｆ、被写体の数が３０の場合は記録のフレームレートを３０ｆに設定する。
【００３１】
次に、図２のＣＰＵ（中央処理装置）は、一時記録メモリ（リングバッファ）２０４から記録した画像を読み出し、画像処理部２１０で、設定したフレームレートに変換する（４０４）。
【００３２】
そして、図２のＣＰＵ（中央処理装置）は、変換した画像を記録装置２１１へ記録する（４０５）。
【００３３】
本実施の形態では、カメラと監視記録装置が一体となった場合で説明したが、カメラと監視記録装置が別々に配置されている環境においても適用できる。
【００３４】
また、本実施の形態では、記録のフレームレートの設定について説明したが、圧縮率、画質、画素数等の設定にも適用できる。例えば、被写体の数が所定値を超えていれば、圧縮率を低く、或いは、画質を高く、或いは、画素数を多くするように設定し、逆に被写体の数が所定値を超えていなければ、圧縮率を高く、或いは、画質を低く、或いは、画素数を少なくするように設定すればよい。
【図面の簡単な説明】
【００３５】
【図１】本発明に係る記録方法を有する監視記録装置の実施の形態の構成図である。
【図２】図１における監視記録装置の構成図である。
【図３】本発明に係る記録方法の例の動作フローチャートを示す図である。
【図４】本発明に係る記録方法の他の例の動作フローチャートを示す図である。
【符号の説明】
【００３６】
１００：監視記録装置、１０１：監視範囲、１０２：被写体、１０３：センサ、２００：ＣＰＵ（中央処理装置）、２０１：バス、２０２：撮像素子、２０３：Ａ／Ｄ変換部、２０４：一時記録メモリ（リングバッファ）、２０５：入出力装置、２０６：ネットワーク制御部、２０７：圧縮／伸張部、２０８：データ管理部、２０９：メモリ、２１０：画像処理部、２１１：記録装置。
【図１】
0004551347.tif 000002
【図２】
0004551347.tif 000003
【図３】
0004551347.tif 000004
【図４】
0004551347.tif 000005